(57)【要約】【課題】本発明の目的は、顧客を含む校正担当者が、登録された商品情報や作成された印刷物データに対して迅速にアクセスできるようにして校正処理を迅速化すると共に、前記担当者による前記商品情報や印刷物データに対する校正処理の完了後に校正履歴を残して校正ミスの発生を抑制することを提供する。【解決手段】メーカー端末装置３は、商品情報を印刷物制作サーバ１に登録する。販社端末装置２は、この商品情報を参照して印刷物制作指定データを作成し、印刷物制作サーバ１に登録する。印刷物制作サーバ１は、指定された印刷物データを作成する。商品情報はメーカー端末装置３、販社端末装置２、及び印刷物制作サーバ１において校正可能であり、印刷物データは販社端末装置２と印刷物制作サーバ１において校正可能である。校正が完了すると、校正履歴が作成される。この校正履歴は、校正担当者が参照することができる。【選択図】図１
2007115148.tif 000002
【特許請求の範囲】
【請求項１】
販売会社の店舗等に設置される販社端末装置と、メーカーの事業所等に設置されるメーカー端末装置と、印刷物制作サーバとを通信回線で接続して、印刷物の制作及び校正を行う印刷物制作システムであって、
前記メーカー端末装置から送信された商品情報を登録する手段と、
前記販社端末装置から送信された印刷物制作指定データを登録する手段と、
前記印刷物制作指定データに基づいて印刷物データを制作する制作手段と、
前記商品情報または前記印刷物データを校正する校正手段と、
前記商品情報または前記印刷物データの校正後に、前記校正の校正履歴を作成する校正履歴作成手段と、
前記校正履歴の作成後に、当該校正履歴を表示可能にする手段と、
を備えたことを特徴とする印刷物制作システム。
【請求項２】
前記通信回線には、インターネット網が含まれていることを特徴とする請求項１記載の印刷物制作システム。
【請求項３】
前記インターネット網を、ＩＰ−ＶＰＮ及び／またはインターネットＶＰＮの形態で使用することを特徴とする請求項１または請求項２記載の印刷物制作システム。
【請求項４】
前記制作手段は、前記商品情報を参照することを特徴とする請求項１乃至請求項３のいずれか１項に記載の印刷物制作システム。
【請求項５】
前記販社端末装置及び前記メーカー端末装置と本システムとの間の通信を、本システムが開設するウェブページを介して行うことを特徴とする請求項１乃至請求項４のいずれか１項に記載の印刷物制作システム。
【請求項６】
前記ウェブページとして、ログイン画面、商品情報検索画面、商品リスト画面、商品情報校正画面、商品情報確認画面、及び商品情報校正完了画面を表示した第１のウェブページと、ログイン画面、印刷情報検索画面、印刷物リスト画面、印刷情報校正画面、印刷情報確認画面、印刷情報校正完了画面、印刷情報校正履歴画面、及びグラフ作成画面を表示した第２のウェブページとが開設されていることを特徴とする請求項５記載の印刷物制作システム。
【請求項７】
前記印刷情報校正履歴画面には、定型的な項目として販売区分名称、提案書番号、メーカー名が表示され、内容項目の校正状況を示すものとして、カタログ商品名、一般小売価格、配送形態、配送温度帯、商品内容／セット内容／内容量、賞味期限、数量限定、等の項目と、これら各項目の登録時のフィールドデータと、校正履歴を示す版数と、これら各項目の更新後のフィールドデータとが、それぞれ互いに対応付けられて表示されることを特徴とする請求項６記載の印刷物制作システム。
【請求項８】
販売会社の店舗等に設置される販社端末装置と、メーカーの事業所等に設置されるメーカー端末装置とを通信回線で接続して、印刷物の制作及び校正を行う印刷物制作サーバであって、
前記メーカー端末装置から送信された商品情報を登録する手段と、
前記販社端末装置から送信された印刷物制作指定データを登録する手段と、
前記印刷物制作指定データに基づいて印刷物データを制作する制作手段と、
前記商品情報または前記印刷物データを校正する校正手段と、
前記商品情報または前記印刷物データの校正後に、前記校正の校正履歴を作成する校正履歴作成手段と、
前記校正履歴の作成後に、当該校正履歴を表示可能にする手段と、
を備えたことを特徴とする印刷物制作サーバ。
【請求項９】
前記通信回線には、インターネット網が含まれていることを特徴とする請求項８記載の印刷物制作サーバ。
【請求項１０】
前記インターネット網を、ＩＰ−ＶＰＮ及び／またはインターネットＶＰＮの形態で使用することを特徴とする請求項８または請求項９記載の印刷物制作サーバ。
【発明の詳細な説明】
【技術分野】
【０００１】
本発明は印刷物制作システム及び印刷物制作サーバに係り、特に、複数のメーカーの商品情報等を集約して、商品写真入りの広告文やカタログ等を作成する必要があるコンビニエンスストアやスーパーマーケット等の販売会社（以下、店舗も含めて「販社」と略称する）が便利に利用することができる印刷物制作システム及び印刷物制作サーバに関する。
【背景技術】
【０００２】
従来、印刷物制作システムは、コンビニエンスストアやスーパーマーケット等の販社において、例えば、商品写真入りの広告文やカタログ等を作成するために構築されており、このシステムでは、通常、印刷物に掲載される商品情報が、事前に、複数のメーカーから引き渡される。
一般に、これらのメーカー数は膨大であり、また、店舗毎に個別の印刷物を要求するコンビニエンスストアやスーパーマーケット等の販社の店舗数も膨大である。
【０００３】
従来の印刷物制作システムは、広告文やカタログ等を作成する処理に、コンピュータ等の事務機械を導入している（特許文献１参照）
即ち、印刷物制作システムの運営元は、顧客である商品メーカーから、事前に商品情報を受取り、また、その後、他の顧客である販社からは、印刷物の作成要求を受け取る。
この商品情報や印刷物作成要求の受取り手段には、手渡し、郵便、宅配便、通信手段等が使用されている。
これらの商品情報や印刷物作成要求のうち、アナログ情報であるものについては、印刷物制作システムの運営元において、スキャナーやＯＣＲ等を用いてデジタル情報に変換される。
初版の印刷物データが完成すると、これを印刷し、前記顧客の各々に対して、前記顧客に対応する印刷結果を引き渡し、前記顧客による校正を受ける。
【０００４】
この引き渡し手段には、手渡し、郵便、宅配便、通信手段等が使用されているが、場合によっては、膨大な顧客数の顧客をホテル等に招いて、その場で顧客対応の印刷物を引き渡し、顧客の確認や校正を受けることも行われている。
この時、印刷物に対して校正の必要があって、その場で校正できない場合には、印刷物は、顧客の事務所に持ち帰りとなる。
【０００５】
前記顧客による校正結果は、再び印刷物制作システムの運営元に引き渡されるが、この引き渡し手段として、手渡し、郵便、宅配便、通信手段等が使用されている。
このような校正は、通常は、繰り返して行われ、ようやく大量に印刷できる正確な印刷物が得られる。
即ち、当業界においては、印刷物が大量に印刷されるものであることから、印刷物の完成までには、その品質や信頼性に対して細心の注意が払われるのであり、このことが当業界における一つの文化的背景をなしている。
【特許文献１】特開２００２−３３７４２５号公報
【発明の開示】
【発明が解決しようとする課題】
【０００６】
しかしながら、上記背景技術で述べた従来の印刷物制作システムにあっては、印刷物が大量に印刷されるものであるために、その版元データの品質や信頼性には、細心の注意が必要であり、このため、メーカーや販社等の顧客を交えた校正作業を何度も反復して行わなければならなかったが、その校正作業の過程で更なる校正ミスが生じることがあり、実際には、品質や信頼性の確保が困難であると共に、校正ミスを発生させた当事者を確定することも困難であるという問題点があった。
【０００７】
また、大量印刷が可能な印刷物の品質レベルに仕上げるまでには、校正作業に多大の時間と労力を要すると共に、制作コストも高くなり過ぎるという問題点があった。
即ち、従来の印刷物制作システムは、広告文やカタログ等の印刷物を作成する処理に、コンピュータ等の事務機械を導入してはいるが、メーカーや販社等の顧客が登録した商品情報や、印刷要求に従って作成された印刷物等（以下、「校正対象資料」と称する）は、それぞれ個別に保管されているので、これらの校正対象資料を校正のために検索して抽出する作業に多くの労力と時間を要していた。
【０００８】
また、抽出された校正対象資料をメーカーや販社等の校正処理を受けるために、送付する作業にも多くの労力と時間を要していた。
即ち、メーカーや販社等の顧客が、前記校正対象資料を入手する手段としては、印刷物制作システムの運営元からの、手渡し、郵便、宅配便、通信手段等に限られており、前記顧客側には、前記校正対象資料に対して短時間でアクセスできる手段が与えられていなかったために、前記運営元からの前記校正対象資料の送付には、多大の時間を必要とし、この時間が、校正作業全体に占める割合が大きくなり、しかも、この送付の際に、校正対象資料の紛失や誤配等の事故が発生することも少なくなかった。
【０００９】
しかも、一般に、商品情報を登録するメーカー数（従って、商品数）は膨大であり、また、コンビニエンスストアやスーパーマーケット等の販社でも、膨大な店舗毎に個別の印刷物が要求されているので、大量の商品情報や印刷要求等を記載した校正対象資料の管理が非常に複雑で厄介なものとなり、よって、校正対象資料の破損や紛失が生じることもあり、場合によっては、誤って廃棄される事故も発生していた。
さらに、校正対象資料の管理には広いスペースを必要とし、当初は、必要と考えられるスペースを十分広く確保してはいても、その後の校正対象資料の増加により、このスペースを際限なく拡張し続けなければならなかった。
【００１０】
本発明は、上記従来の問題点に鑑みてなされたものであって、顧客を含む校正担当者が、登録された商品情報や作成された印刷物データに対して迅速にアクセスできるようにして校正処理を迅速化すると共に、前記担当者による前記商品情報や印刷物データに対する校正処理の完了後に校正履歴を残すことを可能にして校正ミスの発生を抑制することができる印刷物制作システムを提供することを目的としている。
【００１１】
本発明の他の目的は、顧客を含む校正担当者が、登録された商品情報や作成された印刷物データに対して迅速にアクセスできるようにして校正処理を迅速化すると共に、前記担当者による前記商品情報や印刷物データに対する校正処理の完了後に校正履歴を残すことを可能にして校正ミスの発生を抑制することができる印刷物制作サーバを提供することにある。
【課題を解決するための手段】
【００１２】
本発明は、上記した従来の印刷物制作システムの課題に鑑みてなされたものであり、販売会社の店舗等に設置される販社端末装置と、メーカーの事業所等に設置されるメーカー端末装置と、印刷物制作サーバとを通信回線で接続して、印刷物の制作及び校正を行う印刷物制作システムであって、前記メーカー端末装置から送信された商品情報を登録する手段と、前記販社端末装置から送信された印刷物制作指定データを登録する手段と、前記印刷物制作指定データに基づいて印刷物データを制作する制作手段と、前記商品情報または前記印刷物データを校正する校正手段と、前記商品情報または前記印刷物データの校正後に、前記校正の校正履歴を作成する校正履歴作成手段と、前記校正履歴の作成後に、当該校正履歴を表示可能にする手段と、を備えたことを特徴とする印刷物制作システムを提供するものである。
【００１３】
このように構成することで、メーカーや販売会社を含む校正担当者が、一括して登録された商品情報や作成された印刷物データに対して迅速にアクセスすることができるので、商品情報や作成された印刷物データに対する校正処理が迅速化され、また、前記校正担当者の前記商品情報や印刷物に対する校正処理の完了後に、この校正の校正履歴を残すことを可能にしているので、校正ミスの発生を抑制できる印刷物制作システムを実現することができる。
【００１４】
ここで、請求項１記載の印刷物制作システムにおいて、前記通信回線には、インターネット網が含まれていることを特徴とする。
このように構成することで、システムの拡張性が向上し、広域的に存在する多数のメーカーの事業所、及び多数の販売会社の店舗等から利用可能であると共に、通信コストが安くなる印刷物制作システムを実現することができる。
【００１５】
また、請求項１または請求項２記載の印刷物制作システムにおいて、前記インターネット網を、ＩＰ−ＶＰＮ及び／またはインターネットＶＰＮの形態で使用することを特徴とする。
このように構成することで、通信のセキュリティを高めると共に、インターネット網を、あたかも専用回線のように使用できる印刷物制作システムを実現することができる。
【００１６】
また、請求項１乃至請求項３のいずれか１項に記載の印刷物制作システムにおいて、前記制作手段は、前記商品情報を参照することを特徴とする。
このように構成することで、メーカーは、販売会社への商品の販売促進が可能となり、また、販売会社は、商品カタログ等の制作に際して、一から商品情報を収集する必要がなくなるので、便利で付加価値の高い印刷物制作システムを実現することができる。
【００１７】
また、請求項１乃至請求項４のいずれか１項に記載の印刷物制作システムにおいて、前記販社端末装置及び前記メーカー端末装置と本システムとの間の通信を、本システムが開設するウェブページを介して行うことを特徴とする。
このように構成することで、校正処理が完了するまでの煩雑なファイル単位の情報交換を省くことが可能となると共に、何処かからでも利用し易くなることで新規顧客を獲得し易い印刷物制作システムを実現することができる。
【００１８】
また、請求項５記載の印刷物制作システムにおいて、前記ウェブページとして、ログイン画面、商品情報検索画面、商品リスト画面、商品情報校正画面、商品情報確認画面、及び商品情報校正完了画面を表示した第１のウェブページと、ログイン画面、印刷情報検索画面、印刷物リスト画面、印刷情報校正画面、印刷情報確認画面、印刷情報校正完了画面、印刷情報校正履歴画面、及びグラフ作成画面を表示した第２のウェブページとが開設されていることを特徴とする。
このように構成することで、記録性や操作性が向上するので、校正担当者は、校正処理が容易になり、また、校正の品質と信頼性を高めることができる印刷物制作システムを実現することができる。
【００１９】
さらに、請求項６記載の印刷物制作システムにおいて、前記印刷情報校正履歴画面には、定型的な項目として販売区分名称、提案書番号、メーカー名が表示され、内容項目の校正状況を示すものとして、カタログ商品名、一般小売価格、配送形態、配送温度帯、商品内容／セット内容／内容量、賞味期限、数量限定、等の項目と、これら各項目の登録時のフィールドデータと、校正履歴を示す版数と、これら各項目の更新後のフィールドデータとが、それぞれ互いに対応付けられて表示されることを特徴とする。
このように構成することで、校正の責任元としての校正担当者の氏名が明らかとなり、また、校正内容の詳細が明示されるので、これを確認することにより、校正の品質と信頼性を高めることができる印刷物制作システムを実現することができる。
【００２０】
また、本発明に係る印刷物制作サーバは、販売会社の店舗等に設置される販社端末装置と、メーカーの事業所等に設置されるメーカー端末装置とを通信回線で接続して、印刷物の制作及び校正を行う印刷物制作サーバであって、前記メーカー端末装置から送信された商品情報を登録する手段と、前記販社端末装置から送信された印刷物制作指定データを登録する手段と、前記印刷物制作指定データに基づいて印刷物データを制作する制作手段と、前記商品情報または前記印刷物データを校正する校正手段と、前記商品情報または前記印刷物データの校正後に、前記校正の校正履歴を作成する校正履歴作成手段と、前記校正履歴の作成後に、当該校正履歴を表示可能にする手段と、を備えたことを特徴とする印刷物制作サーバを提供するものである。
【００２１】
このように構成することで、メーカーや販売会社を含む校正担当者が、一括して登録された商品情報や作成された印刷物データに対して迅速にアクセスすることができるので、商品情報や作成された印刷物データに対する校正処理が迅速化され、また、前記校正担当者の前記商品情報や印刷物に対する校正処理の完了後に、この校正の校正履歴を残すことを可能にしているので、校正ミスの発生を抑制できる印刷物制作サーバを実現することができる。
【００２２】
ここで、請求項８記載の印刷物制作サーバにおいて、前記通信回線には、インターネット網が含まれていることを特徴とする。
このように構成することで、サーバの利用範囲が広がり、広域的に存在する多数のメーカーの事業所、及び多数の販売会社の店舗等から利用可能になると共に、通信コストが安くなる印刷物制作サーバを実現することができる。
【００２３】
さらに、請求項８または請求項９記載の印刷物制作サーバにおいて、前記インターネット網を、ＩＰ−ＶＰＮ及び／またはインターネットＶＰＮの形態で使用することを特徴とする。
このように構成することで、通信のセキュリティを高めると共に、インターネット網を、あたかも専用回線のように使用できる印刷物制作サーバを実現することができる。
【発明の効果】
【００２４】
以上説明したように、本発明の印刷物制作システム及び印刷物制作サーバによれば、メーカーや販売会社を含む校正担当者が、一括して登録された商品情報や作成された印刷物データに対して迅速にアクセスすることが可能となり、商品情報や作成された印刷物データに対する校正処理が迅速化され、また、前記校正担当者の前記商品情報や印刷物に対する校正処理の完了後に、この校正の校正履歴を残すことが可能になるので、校正ミスの発生を抑制できる印刷物制作システムを提供することができる効果がある。
【００２５】
また、通信回線としてインターネット網を利用できるので、システムの拡張性が向上し、広域的に存在する多数のメーカーの事業所、及び多数の販売会社の店舗等から利用可能であると共に、通信コストが安くなる印刷物制作システムを提供することができる効果がある。
さらに、このインターネット網は、ＩＰ−ＶＰＮ及び／またはインターネットＶＰＮの形態で使用することができるので、通信のセキュリティが高められると共に、このインターネット網を、あたかも専用回線のように使用できる印刷物制作システムを提供することができる効果がある。
【発明を実施するための最良の形態】
【００２６】
以下、本発明の印刷物制作システム及び印刷物制作サーバの最良の実施形態について、図面を参照して詳細に説明する。
【００２７】
図１は、本発明の実施形態に係る印刷物制作システムの全体構成を示す構成図である。
同図において、本実施形態の印刷物制作システムは、本実施形態に係る印刷物制作サーバ１と、販売会社側の店舗等に設置される端末装置である販社端末装置２と、商品メーカー側に設置される端末装置であるメーカー端末３と、これらの各端末を通信可能に接続するための通信回線網１０と、を備えて構成される。
印刷物制作サーバ１は、この他に、入力装置等を備えることができる（図２参照）。
【００２８】
本実施形態に係る印刷物制作サーバ１は、主要な構成要素として、制御部１１１、印刷物ＤＢ１１２、印刷装置１１３、校正履歴１１４、及び表示装置１１５を備えたサーバ端末装置１１と、ＣＰＵ１２１、校正用ＤＢ（データベース）１２２、表示装置１２３、及び入力装置１２４を備えた校正用端末装置１２と、を備える。
【００２９】
販社端末装置２は、主要な構成要素として、ＣＰＵ２１と、印刷物ＤＢ２２と、印刷装置２３と、入力装置２４と、を備える。
販社端末装置２は、この他に、表示装置等を備えることができる（図３参照）。
【００３０】
メーカー端末装置３は、主要な構成要素として、ＣＰＵ３１と、商品ＤＢ３２と、を備える。
メーカー端末装置３は、この他に、入力装置、表示装置、印刷装置等を備えることができる（図４参照）。
販社端末装置２及びメーカー端末装置３は、複数設置することが可能である。また、校正端末装置１２も複数設置することが可能である。
【００３１】
通信回線網１０は、インターネット網の他、インターネット網を経由する他の接続用回線として、公衆回線、ＩＳＤＮ回線、パケット通信回線、フレームリレー回線、ＡＴＭ回線、専用回線、ＡＤＳＬ回線、ＰＨＳ回線、光通信ケーブル回線を利用することができる。
また、ＣＡＴＶ等の今後普及する回線であってもインターネットが利用できる仕様の回線であれば利用可能であり、１００〔Ｍｂ〕を含むＬＡＮを利用することもできる。
なお、インターネット網は、ＩＰプロトコルをそのまま使用した仮想的なプライペートネットワーク（ＩＰ−ＶＰＮ）の形態で使用することができる。
また、インターネット網は、暗号通信を行うことができるＩＰｓｅｃ（Security Architecture for Internet Protocol）を備えたインターネットＶＰＮ（Internet Virtual Private Network）の形態で使用することができる。
【００３２】
以下、本実施形態の印刷物制作システムの動作を説明する。
通常、印刷物制作サーバ１は本システムの運営元の事業所等に設置され、販社端末装置２は販売会社の店舗等に設置され、メーカー端末装置３はメーカーの事業所等に設置される。
【００３３】
まず、印刷物制作サーバ１は、通信回線網１０を介してメーカー端末装置３の認証を済ませた後、当該メーカー端末装置３から、通信回線網１０を介して商品情報を受け取り、これを印刷物データＤＢ１１２に格納する（商品情報の登録手段）。
この登録された商品情報は、メーカー端末装置３及び校正用端末装置１２から、通信回線網１０を介して校正することが可能である。
また、この登録された商品情報は、販社端末装置２から、通信回線網１０を介して参照することが可能である。
【００３４】
次に、販社端末装置２からは、印刷物の作成要求（より具体的には、印刷物制作指定データ）が通信回線網１０を介して印刷物制作サーバ１のサーバ端末装置１１に送出されるが、この印刷物制作指定データの作成に際して、販社端末装置２側は、前述の登録された商品情報を通信回線網１０を介して参照する。
印刷物制作サーバ１のサーバ端末装置１１からは、この印刷物の作成要求（印刷物制作指定データ）がＬＡＮ２０を介して校正用端末装置１２に送出され、当該印刷物の作成要求に基づいて商品情報を掲載した印刷物データ（印刷情報校正用データ）が校正用端末装置１２上で制作される。
即ち、校正用端末装置１２は、最初は印刷物データを作成するために使用され、次回からは、この印刷物データを校正するために使用することができる。
【００３５】
この作成された印刷物データは、ＬＡＮ２０を介してサーバ端末装置１１に送出され、印刷物データＤＢ１１２に格納される。
なお、印刷物データＤＢ１１２には、前述のサーバ端末装置１１において作成された印刷物データとは限らず、前述の登録された商品情報が格納されている。
即ち、前述の登録された商品情報も、印刷物データとして扱うことができる。
【００３６】
印刷物データＤＢ１１２に格納された前記印刷物データは、販社端末装置２及び校正用端末装置１２から、認証後に通信回線網１０を介して校正し、印刷情報校正済データを得ることが可能である。
【００３７】
この校正が完了すると、サーバ端末装置１１は、校正担当者名や、校正箇所を明示した校正履歴を作成する。
このように、本実施形態では、校正完了後に校正履歴を自動的に作成する処理によって、校正の信頼性を確保すると共に、版責の所在を明確にしている。
この校正履歴は、校正完了後に、校正処理を行った端末装置上（具体的には、販社端末装置２の表示装置２５、サーバ端末装置１１の表示装置１１５、または校正用端末装置１２の表示装置１２３）に画面表示させることができる。
この校正履歴を示す画面には、定型的な項目として販売区分名称、提案書番号、メーカー名が表示され、内容項目の校正状況を示すものとして、カタログ商品名、一般小売価格、配送形態、配送温度帯、商品内容／セット内容／内容量、賞味期限、数量限定、等の項目と、これら各項目の登録時のフィールドデータと、校正履歴を示す版数と、これら各項目の更新後のフィールドデータとが、それぞれ互いに対応付けられて表示される。
【００３８】
なお、サーバ端末装置１１と、メーカー端末装置３及び販社端末装置２間で、情報を送受信する手段として、通信回線網１０を通常の通信回線として使用して情報を送受信する手段と、サーバ端末装置１１側から情報取得用画面（図７参照）をウェブページとして開設し、このウェブページを介して必要情報を送受信する手段との、２つの手段がある。
なお、サーバ端末装置１１側としては、前述のどちらの手段も、校正用端末装置１２から実施することが可能である。
ここで、サーバ端末装置１１と、メーカー端末装置３及び販社端末装置２間で送受信される情報には、認証に必要な情報、商品情報、印刷情報校正用データ、印刷情報校正済データ等がある。
【００３９】
図２は、本実施形態に係る印刷物制作サーバが備えるサーバ端末装置の主要な構成を示す構成図である。
同図において、サーバ端末装置１１は、全体を制御する制御部１１１と、印刷物データ（印刷情報校正用データ及び印刷情報校正済データ）等を画面表示するための表示装置１１５と、アナログデータはデジタルデータに変換し、手入力データや操作情報を入力するための入力装置１１１８と、印刷データ（印刷情報校正用データ及び印刷情報校正済データ等）を印刷するための印刷装置１１３と、ウェブサーバ１１１６／ＤＢ管理部１１１５に入出力バス１２０を介して接続された印刷物データＤＢ１１２、認証用ＤＢ１１６、顧客情報ＤＢ１１７、受信商品情報ＤＢ１１８、受信印刷データＤＢ１１９、チェックデータＤＢ１３０、及び校正履歴ＤＢ１３１と、を備える。
【００４０】
入力装置１１１８は、ＯＣＲやスキャナーで構成することができる。
制御部１１１は、他の構成要素の処理を分担すると共に他の構成要素を制御するＣＰＵ１１１１と、校正処理に必要なプログラムやデータを記憶するＲＡＭ１１１２と、回線接続を制御する回線制御部１１１３と、通信回線１０とのプロトコルを備えて他の端末装置との通信を行う通信制御部１１１５と、ウェブページの管理とアクセス制御とを行うウェブサーバ１１１６と、課金に必要な処理を行う課金部１１１７と、を備える。
【００４１】
ＣＰＵ１１１１は、本装置全体を制御すると共に、他の主要な構成要素の処理を分担し、また、校正処理の進行を制御する。
【００４２】
ＲＡＭ１１１２は、校正処理に必要なプログラムやデータを記憶すると共に、校正処理等の実行に必要な一時的データ（テンポラリデータ）を記憶する。
【００４３】
回線制御部１１１３は、通信回線網１０に接続するためのものであり、デジタル終端接続装置（ＤＳＵ）や侵入防止用のファイアウォールアプリケーションを実装したルータなどを備えて構成することができる。
【００４４】
通信制御部１１１４は、ウェブサーバ１１１６などの各サーバを制御すると共に、複数の顧客側端末装置（販社端末装置２及びメーカー端末装置３）との回線接続を選択的に行う制御を実行する。
なお、この通信制御部１１１４は、例えば、インターネット上での時刻同期用ＮＴＰ（Network Time Protocol）サーバ、分散ファイルシステム用のＮＦＳ（Network File System)サーバなどを備えることができる。
通信制御部１１１４は、さらに、個人情報などの秘密保持のための暗号化データ転送用の暗号化通信プロトコルを保持し、ＳＳＬ（Secure Sockets Layer）サーバの制御を実行することができる。
【００４５】
ＤＢ管理部１１１５は、入出力バス１２０を介して、印刷物データＤＢ１１２、認証用ＤＢ１１６、顧客情報ＤＢ１１７、受信商品情報ＤＢ１１８、受信印刷データＤＢ１１９、チェックデータＤＢ１３０、及び校正履歴ＤＢ１３１を管理する。
この管理には、オペレーティングシステムによるファイルの排他制御（占有制御）や、バッファリング技法が含まれる。
【００４６】
ウェブサーバ１１１６は、通信回線網１０に接続されたインターネット網（ＶＰＮ）上で基幹的な通信処理（ブラウジング）を実行するための主コンピュータとして動作する。
このウェブサーバ１１１６は、前記インターネット網（ＶＰＮ）上に開設されるホームページを運営するものであり、このホームページ上には商品情報の校正処理や印刷物の校正処理に必要な入力画面が設置される。
また、このウェブサーバ１１１６は、前記ホームページの前記入力画面を介して印刷物データＤＢ１１２や受信商品情報ＤＢ１１８にアクセスする顧客に対して認証を行い、認証された顧客（アクセス権を有する顧客）に対して当該顧客に印刷物データＤＢ１１２または受信商品情報ＤＢ１１８へのアクセスを許可する等の制御を行う。
【００４７】
課金部１１１７は、顧客（メーカーや販社）に課金するための料金積算処理を行う。
この課金は、印刷物データＤＢ１１２や受信商品情報ＤＢ１１８への顧客のアクセス回数に基づいてなされ、また、顧客側に設置された印刷装置の出力量の通知に基づいてなされる。
【００４８】
表示装置１１５は、印刷物データを画面表示する。
この表示によって、印刷前に、印刷物の品質や仕上がり状況を確認することができる。
【００４９】
入力装置１１１８は、校正処理等に必要なデータや指令を入力すると共に、アナログ入力された商品情報や印刷物制作指定データをデジタル情報に変換する。
【００５０】
印刷装置１１３は、印刷物データを印刷出力する。
この印刷出力によって、最終的に印刷物の品質や仕上がり状況を確認することができる。
【００５１】
印刷物データＤＢ１１２は、印刷物データ（より具体的には、印刷データ校正用データや印刷データ校正済データ）を格納する。
この印刷物データには、メーカー端末装置２から受信して受信商品情報ＤＢ１１８に登録された商品情報も含めることができる。
このデータベースに記憶されているファイルは、認証を受けた顧客側端末装置及び認証を受けた校正用端末装置１２からのアクセスを許容する。
【００５２】
認証用ＤＢ１１６は、顧客の認証に必要な認証用データを記憶している。
このデータベースに記憶されているファイルは、認証処理の際に、認証を行うタスクから参照される。
【００５３】
顧客情報ＤＢ１１７は、顧客（メーカー、販社、一般ユーザ）に関する情報を記憶している。
このデータベースに記憶されているファイルは、印刷物を作成するタスクから、当該印刷物をより一層効果的なものとするために参照される。
【００５４】
受信商品情報ＤＢ１１８は、メーカーから受け取った商品情報を格納する（商品情報の登録手段）。
このデータベースに記憶されているファイルは、認証を受けた顧客側端末装置及び認証を受けた校正用端末装置１２からのアクセスを許容する。
【００５５】
受信印刷データＤＢ１１９は、販社から受け取った印刷物制作指定データを格納する。
このデータベースに記憶されているファイルは、認証を受けた販社端末装置及び認証を受けた校正用端末装置１２からのアクセスを許容する。
【００５６】
チェックデータＤＢ１３０は、校正処理等のチェックに必要なデータを記憶する。
このデータベースに記憶されているファイルは、特定の認証を受けたサーバ側担当者からのアクセスだけを許容する。
【００５７】
校正履歴ＤＢ１３１は、印刷物データに対応した校正履歴を記憶する。
このデータベースに記憶されているファイルは、認証を受けた販社端末装置及び認証を受けた校正用端末装置１２からのアクセスを許容する。
【００５８】
図３は、本発明の実施形態に係る印刷物制作システムの販社端末装置の１構成例を示す構成図である。
同図に例示する販社端末装置２は、本装置全体を制御するＣＰＵ２１と、通信回線網１０に対応した通信プロトコルを備えてサーバ端末装置１１（図１）と通信する通信処理部２６と、印刷物ＤＢ２２を管理するデータベース管理部２７と、アナログデータはデジタルデータに変換し、手入力データや操作情報を入力するための入力装置２４と、印刷物の作成や校正に必要なデータ（印刷情報校正用データ、印刷情報校正済データ、校正履歴、及び印刷物制作指定データ等）を画面表示するための表示装置２５と、前記データを印刷するための印刷装置２３と、前記データを格納する印刷物ＤＢ２２と、を備える。
【００５９】
販社端末装置２からは、サーバ端末装置１１（図１）に対して、まず、印刷物制作要求を兼ねた印刷物制作指定データが送信される。
また、要求した印刷物が制作された後は、この販社端末装置２から校正することができる。
より具体的には、通常の通信形態の場合は、サーバ端末装置１１から通信回線網１０を介して取得された印刷情報校正用データは、一旦、印刷物ＤＢ２２に格納され、販社端末装置２により校正されて印刷情報校正済データとなり、通信回線網１０を介してサーバ端末装置１１に送り返される。
しかし、サーバ端末装置１１により開設されたウェブページを利用する場合は、このウェブページを介して、校正処理等に必要な全ての情報が送受信される。
【００６０】
図４は、本発明の実施形態に係る印刷物制作システムのメーカー端末装置の１構成例を示す構成図である。
同図に例示するメーカー端末装置３は、本装置全体を制御するＣＰＵ３１と、通信回線網１０に対応した通信プロトコルを備えてサーバ端末装置１１（図１）と通信する通信処理部３６と、商品ＤＢ３２を管理するデータベース管理部３７と、アナログデータはデジタルデータに変換し、手入力データや操作情報を入力するための入力装置３４と、商品情報の登録や校正に必要なデータ（商品情報登録データ、商品情報校正用データ、商品情報校正済データ等）を画面表示するための表示装置３５と、前記データを印刷するための印刷装置３３と、前記データを格納する商品ＤＢ３２と、を備える。
【００６１】
メーカー販社端末装置３からは、サーバ端末装置１１（図１）に対して、まず、取り扱っている商品に関する商品情報が送信される。
また、登録要求した商品情報が登録された後は、このメーカー端末装置３から校正することができる。
より具体的には、通常の通信形態の場合は、サーバ端末装置１１から通信回線網１０を介して取得された商品情報校正用データは、一旦、商品ＤＢ３２に格納され、メーカー端末装置３により校正されてｙｙｙｙｙｙｙとなり、通信回線網１０を介してサーバ端末装置１１に送り返される。
しかし、サーバ端末装置１１により開設されたウェブページを利用する場合は、このウェブページを介して、校正処理等に必要な全ての情報が送受信される。
【００６２】
図５は、本発明の実施形態に係る印刷物制作システムのサーバ側に設置される校正用端末装置１２の１構成例を示す構成図である。
同図に例示する校正用端末装置１２は、本装置全体を制御するＣＰＵ１２１と、通信回線網１０に対応した通信プロトコルを備えて販社端末装置２やメーカー端末装置３（図１）と通信する通信処理部１２６と、校正用ＤＢ１２２を管理するデータベース管理部１２７と、アナログデータはデジタルデータに変換し、手入力データや操作情報を入力するための入力装置１２４と、校正に必要なデータを画面表示するための表示装置１２３と、前記データを印刷するための印刷装置３３と、前記データを格納する校正用ＤＢ１２２と、を備える。
この他に、校正に必要なデータ等を印刷するための印刷装置を備えることができる。
【００６３】
サーバ端末装置１１からＬＡＮ２０を介して取得された商品情報登録データや印刷物制作指定データは、一旦、校正用ＤＢ１２２に格納され、商品登録処理や印刷物データ制作処理を受ける
また、登録要求した商品情報が登録された後、及び印刷物データが制作された後は、これらを校正用端末装置１２から校正することができる。
より具体的には、通常の通信形態の場合は、サーバ端末装置１１からＬＡＮ２０を介して取得された商品情報校正用データ（または印刷情報校正用データ）は、一旦、校正用ＤＢ１２２に格納され、校正用端末装置１２により校正されて商品情報校正済データ（または印刷情報校正済データ）となり、ＬＡＮ２０を介してサーバ端末装置１１に送り返される。
しかし、サーバ端末装置１１により開設されたウェブページを利用する場合は、このウェブページを介して、校正処理等に必要な全ての情報が送受信される。
なお、本実施形態では、ＬＡＮ２０とサーバ端末装置１２とを介して、校正用端末装置１２から前記ウェブページにアクセスできるように構成されている。
【００６４】
図６は、本発明の実施形態に係る印刷物制作システムにおける主要なデータの流れを示すデータフローである。
なお、同図は、主要なデータの流れだけを示しており、ログイン情報や各種の要求指令等の送受信については省略している。
まず、メーカー端末装置３からサーバ端末装置１１に対して商品情報登録データＤ３１が送信され、サーバ端末装置１１に登録される。
この後、メーカー端末装置３からの要求に応じて、サーバ端末装置１１からメーカー端末装置３に対して商品情報校正用データＤ３２が送信される。
【００６５】
これを受けて、メーカー端末装置３は、この商品情報校正用データＤ３２を校正して商品情報校正済データＤ３３を得た後、この商品情報校正済データＤ３３をサーバ端末装置１１に送信する。
また、他のデータの流れとして、まず、販社端末装置２からサーバ端末装置１１に対して印刷情報制作指定データＤ２１が送信され、サーバ端末装置１１上で印刷物データ（印刷情報）が制作される。
【００６６】
この後、販社端末装置２からの要求に応じて、サーバ端末装置１１から販社端末装置２に対して印刷情報校正用データＤ２２が送信される。
【００６７】
これを受けて、販社端末装置２は、この印刷情報校正用データを校正し、校正履歴を更新して印刷情報校正済データＤ２３として確定した後、この印刷情報校正済データＤ２３をサーバ端末装置１１に送信する。
【００６８】
また、他のデータの流れとして、まず、サーバ端末装置１１から校正用端末装置１２に対して登録／制作／校正用データＤ１１（前述の商品情報登録データＤ３１、商品情報校正用データＤ３２、商品情報校正済データＤ３３、印刷情報制作指定データＤ２１、印刷情報校正用データＤ２２、商品情報校正済データＤ２３のうちのいずれか１つ）が送信される。
【００６９】
これを受けて、校正用端末装置１２は、商品情報の登録または校正、若しくは印刷物データの制作または校正を行って、登録／制作／校正・済データＤ１２（前述の、商品情報校正用データＤ３２の初版、商品情報校正済データＤ３３、印刷情報校正用データＤ２２の初版、印刷情報校正済データＤ２３のうちのいずれか１つ）を作成する。
【００７０】
次に、校正用端末装置１２は、この登録／制作／校正・済データＤ１２を、サーバ端末装置１１に送信する。
【００７１】
図７は、本発明の実施形態に係る印刷物制作システムで開設されるウェブページを示す説明図であり、図７（ａ）は、メーカー向けウェブページを示し、図７（ｂ）は販社向けウェブページを示す。
図７（ａ）に示すメーカー向けウェブページ４（第１のウェブページ）、及び図７（ｂ）に示す販社向けウェブページ５（第２のウェブページ）は、いずれもサーバ側が提供するブラウザから閲覧することができる。
このブラウザには、各種のグラフをデータの手入力操作で作成できるグラフ作成用ソフトも貼り付けられている。
なお、ここでは、初版の商品情報の登録や、初版の印刷物データの制作が、既に完了している時点であるものとする。
【００７２】
以下、図７（ａ）に示すメーカー向けウェブページ４を介して送受信可能な情報について、入力画面毎に説明する。
（１）  ログイン画面
ログイン画面からは、メーカー側担当者の「ユーザＩＤ」及び「パスワード」を入力する。
正規の「ユーザＩＤ」及び「パスワード」が入力されると、次の商品情報検索画面に進むことができるが、誤った「ユーザＩＤ」または「パスワード」が入力されると、「ログインエラー」なるエラーメッセージが表示される。
なお、校正時点が、指定されている校正作業期限から外れている場合もログインが不可能となる。
【００７３】
（２）  商品情報検索画面
商品情報検索画面からは、全ての商品情報／校正済の商品情報／未校正の商品情報のうちの、いずれか１つを選択入力することができる。
この入力により、該当する商品を列挙した商品リスト画面が表示される。
【００７４】
（３）  商品リスト画面
商品リスト画面では、検索条件を満たした商品のリストが表示されるので、このリストから、詳細な商品情報が必要な商品項目を選択入力することができる。
この入力により、選択された商品項目の詳細情報を記載した商品情報校正画面が表示される。
【００７５】
（４）  商品情報校正画面
商品情報校正画面では、校正前の商品情報が表示される。
所定の校正可能な箇所（青枠で示される）について、現在の記載内容を校正または更新することができる。
この校正時には、情報抜けがチェックされ、情報抜けが生じた場合はエラーメッセージが表示される。
この校正が完了して、「確認」ボタンが押下されると、商品情報確認画面が表示される。
【００７６】
（５）  商品情報確認画面
商品情報確認画面では、校正完了後の商品情報が表示されるので、この内容での校正をキャンセルするか、若しくはこの校正内容でデータを更新するかの、いずれか１つを選択する。
この校正内容でデータを更新する方を選択すると、商品情報校正完了画面が表示される。
【００７７】
（６）  商品情報校正完了画面
商品情報校正完了画面では、校正完了後の商品情報のイメージが表示される。
なお、商品情報校正画面、商品情報確認画面、及び商品情報校正完了画面には、商品リスト画面に戻す時に押下されるボタンが設けられている。
また、商品情報検索画面、商品リスト画面、及び商品情報校正完了画面には、ログアウトボタンが設けられている。
校正処理を終了する時には、セキュリティを確保するために、必ずログアウトするものとする。
【００７８】
以下、図７（ｂ）に示す販社向けウェブページ５を介して送受信可能な情報について、入力画面毎に説明する。
（１）  ログイン画面
ログイン画面からは、販社側担当者の「ユーザＩＤ」及び「パスワード」を入力する。正規の「ユーザＩＤ」及び「パスワード」が入力されると、次の商品情報検索画面に進むことができるが、誤った「ユーザＩＤ」または「パスワード」が入力されると、「ログインエラー」なるエラーメッセージが表示される。
なお、校正時点が、指定されている校正作業期限から外れている場合は、校正作業は不可となり、印刷情報の参照のみが可能となる。
【００７９】
（２）  印刷情報検索画面
印刷情報検索画面からは、校正状況として、全ての印刷情報／校正済の印刷情報／未校正の印刷情報のうちの、いずれか１つの選択が可能であり、また、メーカー名の入力が可能である。
さらに、印刷情報が商品情報である場合は、メーカー名、カタログ商品名、価格帯、検索する商品の価格帯、検索方法（全ての条件で検索するか、若しくはいずれかの条件で選択するか）を、選択入力することができる。
この入力により、該当する印刷物を列挙した印刷物リスト画面が表示される。
【００８０】
（３）  印刷物リスト画面
印刷物リスト画面では、検索条件を満たした印刷物のリストが表示されるので、このリストから、詳細な印刷情報が必要な印刷物項目を選択入力することができる。リスト表示された印刷物項目には、当該印刷物の校正履歴を表示させるボタンが設けられている。
また、全体の頁のうちの表示されている頁の頁番号が表示される。
さらに、表示されるべきリストの頁数が複数となる場合は、前後の頁を呼び出すためのボタンが表示される。
この入力により、選択された印刷物項目の詳細情報を記載した印刷情報校正画面が表示される。
【００８１】
（４）  印刷情報校正画面
印刷情報校正画面では、前記リストから選択された印刷物項目の校正前の印刷情報が表示される。所定の校正可能な箇所（青枠で囲って示される）について、現在の記載内容を校正または更新することができる。
校正実施時には、随意に校正履歴を参照することができる。
この校正時には、情報抜けがチェックされ、情報抜けが生じた場合はエラーメッセージが表示される。
この校正が完了して、「確認」ボタンが押下されると、印刷情報確認画面が表示される。
【００８２】
（５）  印刷情報確認画面
印刷情報確認画面では、校正完了後の印刷情報が表示されるので、この内容での校正をキャンセルするか、若しくはこの校正内容でデータを更新するかの、いずれか１つを選択する。
この校正内容でデータを更新する方を選択すると、印刷情報校正完了画面が表示される。
【００８３】
（６）  印刷情報校正完了画面
印刷情報校正完了画面では、校正完了後の印刷情報が表示される。ここでは、そのイメージを表示させることができる。
なお、印刷情報校正画面、印刷情報確認画面、及び印刷情報校正完了画面には、商品リスト画面に戻す時に押下されるボタンが設けられている。
また、印刷情報検索画面、印刷物リスト画面、及び印刷情報校正完了画面には、ログアウトボタンが設けられている。
校正処理を終了する時には、セキュリティを確保するために、必ずログアウトするものとする。
【００８４】
（７）  印刷情報構成履歴画面
印刷情報構成履歴画面では、定型的な項目として販売区分名称、提案書番号、メーカー名が表示され、内容項目の校正状況を示すものとして、カタログ商品名、一般小売価格、配送形態、配送温度帯、商品内容／セット内容／内容量、賞味期限、数量限定、等の項目と、これら各項目の登録時のフィールドデータと、校正履歴を示す版数と、これら各項目の更新後のフィールドデータとが、それぞれ互いに対応付けられて表示される。
【００８５】
（８）  グラフ作成画面
グラフ作成画面では、作成するグラフの種類（円グラフ、棒グラフ、折れ線グラフ、積載グラフ、３次元積載グラフ、等）、グラフを構成する成分の色分け、グラフを構成する成分の比率、等を入力する入力画面が表示される。
また、この入力画面に入力した情報に対応したグラフを表示させる「グラフ表示」ボタンが表示される。この作成されたグラフは、印刷情報に含めることができる。
【００８６】
なお、この実施形態では、印刷物データが校正される場合には、校正内容を確認するために校正履歴を参照できるものとしたが、本発明では、一般に、商品情報が更新される場合にも、校正内容を確認するために校正履歴を参照できるような構成とすることが可能である。
また、この実施形態では、商品情報の登録処理、印刷物データの制作処理、及び校正処理等を、校正用端末１２を介して行うものとしたが、本発明では、一般に、前記の処理を、サーバ端末装置１１が備える入力装置１１１８を介して行うこともできる。
【００８７】
さらに、この実施形態では、メーカー向けウェブページ４と販社向けウェプページ５とを別個のウェブページとして、それぞれ開設する構成としたが、印刷物情報が商品情報そのものである場合は、両者を統合することが可能である。
【産業上の利用可能性】
【００８８】
この発明は、印刷関連情報の登録、印刷物の制作、及び印刷物の校正を行うシステムの構築に使用することが可能であり、特に、販売支援用等の商用印刷物の制作・校正に使用することができる。
【図面の簡単な説明】
【００８９】
【図１】図１は、本発明の実施形態に係る印刷物制作システムの全体構成を示す構成図である。
【図２】図２は、本実施形態に係る印刷物制作サーバが備えるサーバ端末装置の主要な構成を示す構成図である。
【図３】図３は、本発明の実施形態に係る印刷物制作システムの販社端末装置の１構成例を示す構成図である。
【図４】図４は、本発明の実施形態に係る印刷物制作システムのメーカー端末装置の１構成例を示す構成図である。
【図５】図５は、本発明の実施形態に係る印刷物制作システムのサーバー側に設置される校正用端末装置の１構成例を示す構成図である。
【図６】図６は、本発明の実施形態に係る印刷物制作システムにおける主要なデータの流れを示すデータフローである。
【図７】図７は、本発明の実施形態に係る印刷物制作システムで開設されるウェブページを示す説明図であり、図７（ａ）は、メーカー向けウェブページを示し、図７（ｂ）は販社向けウェブページを示す。
【符号の説明】
【００９０】
１  印刷物制作サーバ（本実施形態のサーバ）
２  販社端末装置
３  メーカー端末装置
１０  通信回線網
１１  サーバ端末装置
１２  校正用端末装置
２０  ＬＡＮ
２１  ＣＰＵ
２２  印刷物ＤＢ（データベース）
２３  印刷装置
２４  入力装置
２５  表示装置
２６  通信処理部
２７  データベース管理部
３１  ＣＰＵ
３２  商品ＤＢ
３３  印刷装置
３４  入力装置
３５  表示装置
３６  通信処理部
３７  データベース管理部
１１２  印刷物ＤＢ（データベース）
１１３  印刷装置
１１５  表示装置
１１６  認証用ＤＢ
１１７  顧客情報ＤＢ
１１８  受信情報ＤＢ
１１９  受信印刷データＤＢ
１２０  入出力バス
１２１  ＣＰＵ
１２２  校正用ＤＢ
１２４  入力装置
１２６  通信処理部
１２７  データベース管理部
１３０  チェックデータＤＢ
１３１  校正履歴ＤＢ
１１１２  ＲＡＭ
１１１３  回線制御部
１１１４  通信制御部
１１１５  ＤＢ管理部
１１１６  ウェブサーバ
１１１７  課金部
１１１８  入力装置
【図１】
2007115148.tif 000003
【図２】
2007115148.tif 000004
【図３】
2007115148.tif 000005
【図４】
2007115148.tif 000006
【図５】
2007115148.tif 000007
【図６】
2007115148.tif 000008
【図７】
2007115148.tif 000009